【手続補正書】
【提出日】平成19年1月12日(2007.1.12)
【手続補正１】
【補正対象書類名】明細書
【補正対象項目名】全文
【補正方法】変更
【補正の内容】
【書類名】    明細書
【発明の名称】  水槽の藻発生乃至付着防止方法とこれに用いられる藻発生乃至付着防止方法。
【特許請求の範囲】
【請求項１】
水槽の内壁面に藻発生乃至付着防止体を接触させながら、この内壁面に沿って移動して、この内壁面に付着する藻類を掻き取り、この内壁面への藻の発生を抑制することを特徴とする水槽の藻発生乃至付着防止方法。
【請求項２】
前記藻発生乃至付着防止体の接触位置を前記水槽水面とこの水槽の内壁面の境部とすることを特徴とする請求項１記載の水槽の藻発生乃至付着防止方法。
【請求項３】
前記藻発生乃至付着防止体を前記水槽内に水没させ、この水没した水槽の内壁面に接触して移動させることを特徴とする請求項１記載の水槽の藻発生乃至付着防止方法。
【請求項４】
前記藻発生乃至付着防止体を、水槽内の流体の流れを利用して、水槽の内壁面に接触しつつ移動させることを特徴とする請求項１又は３記載の水槽の藻発生乃至付着防止方法。
【請求項５】
水槽内に位置し、この内壁面に藻発生乃至付着防止体を接触しながら、この内壁面に沿って移動自在としてあることを特徴とする水槽の藻発生乃至付着防止体。
【請求項６】
前記藻発生乃至付着防止体は水面に浮遊するものとすることを特徴とする請求項５記載の水槽の藻発生乃至付着防止体。
【請求項７】
前記藻発生乃至付着防止体は、球体、その周面に植毛してある球体、たわし状の球体のうちの、少なくとも１つとしてあることを特徴とする請求項５又は６記載の藻発生乃至付着防止体。
【発明の詳細な説明】
【０００１】
【発明の属する技術分野】
この発明は、水槽の藻発生乃至付着防止方法とこれに用いられる藻発生乃至付着防止体に関する。
【０００２】
【従来の技術】
水槽の一種である冷却塔用上部水槽から充填材に散布する散布水、または循環水に河川の水または地下水が使用されている。
【０００３】
【発明が解決しようとする課題】
前記散布水または循環水として藻類を含む井戸水を使用する場合には、前記上部水槽内面にこの藻類が付着し増殖し易く、最悪の場合には上部水槽の散布部、殊に孔、短管がこの藻類で目詰まりし、充分な水量を上部水槽から充填材上に散布できず、冷却能力が低下する。この冷却能力の低下を招かないように、上部水槽を定期的に清掃する必要がある。冷却塔の大型化に伴い、上部水槽の設置高さが高くなり、この清掃は非常に危険な作業となり、この清掃の自動化が望まれている。この発明は、複雑な機械や、薬剤を必ず
しも用いることなく、水槽の藻の発生を簡易に防止し、前記水槽の清掃を自動的に、かつ確実に行えるようにすることを目的とする。
【０００４】
【課題を解決するための手段】
前記課題を達成するため、特定発明は水槽の内壁面に藻発生乃至付着防止体を接触させながら、この内壁面に沿って移動して、この内壁面に付着する藻類を掻き取り、この内壁面への藻の発生を抑制することを特徴とする水槽の藻発生乃至付着防止方法としてある。
【０００５】
前記課題を達成するため、この藻発生乃至付着防止方法における前記藻発生乃至付着防止体の接触位置を前記水槽水面とこの水槽の内壁面の境部とすることを特徴とすることが清掃上望ましい。
【０００６】
前記課題を達成するため、この藻発生乃至付着防止方法における前記藻発生乃至付着防止体を前記水槽内に水没させ、この水没した水槽の少なくとも内壁面乃至底面に接触して移動させることがコスト的に好ましい。
【０００７】
前記課題を達成するため、この藻発生乃至付着防止方法における前記藻発生乃至付着防止体を、水槽内の流体の流れを利用して、水槽の内壁面に接触しつつ移動させることが望ましい。
【０００８】
前記課題を達成するため、関連発明は水槽内に位置し、この内壁面に接触しながら、この内壁面に沿って移動自在としてあることを特徴とする水槽の藻発生乃至付着防止体としてある。前記課題を達成するため、この藻発生乃至付着防止体は水面に浮遊するものとすることが好ましい。
【０００９】
前記課題を達成するため、前記藻発生乃至付着防止体は、球体、その周面に植毛してある球体、たわし状の球体のうちの、少なくとも１つとしてあることが、その取扱い上、好ましい。
【００１０】
【発明の実施の形態】
実施の形態１
この形態は、請求項５、６、７記載の発明の代表的な実施の形態である。図１、図２、図３において、１０は水槽の一種である直交流式冷却塔における上部水槽１１内に用いられる藻発生乃至付着防止体を示す。前記上部水槽１１は、冷却水の散水系又は循環系に配置され、この上部水槽１１内を流れる散布水または循環冷却水の流れに乗り、前記藻発生乃至付着防止体１０は、上部水槽１１の内壁面１１ａに接触しつつ移動自在としてある。より具体的には，前記上部水槽１１は、前記冷却塔の外気取入口に対面して配置された熱交換器の上方に配備され、この上部水槽１１の平面形状は、略長方形としてある。
【００１１】
この上部水槽１１の一短辺寄りには散布水の散水箱Ａが配置してあり、この散水箱Ａの側壁には、上部水槽１１の他短辺に向けて散布水または循環冷却水を吐出する吐出孔が設けてある。この散水箱Ａの中に散水受皿Ｃが配置してあり、この散水箱Ａの上部天井を貫通して散布水槽または循環冷却水用供給管Ｄの先端が前記散水受皿Ｃに向けて配管してある。この散水箱Ａに前記供給管Ｄから供給された散布水または循環冷却水を前記吐出孔（図示せず）から上部水槽１１の他短辺に向けて吐出し、この吐出される散布水または循環冷却水の流れにより、前記藻発生乃至付着防止体１０は、上部水槽１１の内壁面１１ａに接触しつつ移動自在としてある。
【００１２】
前記上部水槽１１へ給水装置としては前記構造に限定されず、前記直交流式冷却塔の上部水槽１１に内部配管系を介して循環冷却水を供給する構造のものでも良い。即ち前記熱交換器の排気側である内方に沿い、立ち上げた内部配管系における循環冷却水供給管である立ち上げ管から上部水槽１１の側壁を貫通して水平に伸びる水平管が配管されている。この水平管の先端に、上向きに伸びてこの上部水槽内に位置する短管が配管してある。この短管により循環冷却水の吐出部が形成されている。この短管をその上方から包囲する散水箱Ａが上部水槽１１の底面上に配置してある。この散水箱Ｃ内に位置し開口する前記短管からの吐出流量を調整するための逆円錐状の流量調整弁がこの短管の吐出口に対して上下調整自在で、位置固定可能に散水箱Ａ内に設けてある。この流量調整弁の弁棒の上端はこの散水箱上面を貫き、散水箱の外側に位置し、この弁棒の上端にハンドルが取付けてある。前記散水箱の側壁下部寄りには開口部が形成されており、この開口部上縁より上位の位置に短管における吐出口の口縁が位置している。
前記藻発生乃至付着防止体１０の接触位置Ｐが前記上部水槽１１の水面１１ｂとこの水槽１１の内壁面１１ａとの境部Ｓとなるように、即ち、この水面１１ｂと同一レベルとなるように前記藻発生乃至付着防止体１０の比重が設定され、この藻発生乃至付着防止体１０はこの水面１１ｂに浮遊している（図3参照）。前記藻発生乃至付着防止体１０は、球体、好ましくは硬式テニスボールのようなその周面に起毛乃至植毛してある球体Ｂとして、少なくとも１個、好ましくは２〜３個、前記上部水槽１１内に配置してある。
【００１３】
この形態の使用方法を、請求項１、２、４記載の方法発明の代表的な実施の形態として説明すると、上部水槽１１の内壁面１１ａに前記球体Ｂを最大径位置で接触させながら、この内壁面１１ａに沿って移動して、この移動中にこの内壁面１１ａに付着する藻類を球体Ｂ周面の起毛により掻き取り、この内壁面１１ａへの藻の発生乃至付着を抑制する。
すなわち、前記供給管Ｄから散水受皿Ｃに向けて供給された散布水または循環冷却水は、前記散水箱Ａの側壁に設けた吐出孔からこの上部水槽１１内に吐出され、この吐出された散布水または循環冷却水が所定水位に達すると、この上部水槽１１の散水部であるパイプまたは散水孔を通して、下方の前記熱交換器上に散布され、熱交換を行う。
この散布される散布水または循環冷却水の流れに前記球体Ｂを浮遊して移動し、前記境部Ｓにおいて上部水槽１１の内壁面１１ａと接触しながら、この内壁面１１ａに付着している藻を掻き取り、清掃すると共に、この内壁面１１ａ上に藻が発生乃至付着するのを阻止する。なお、前記球体Ｂの代わりに、周面に羽毛のないボールを前記水面１１ｂに浮遊し、移動することもある。
【００１４】
実施の形態２（図４参照）
この形態は、請求項５、７記載の発明の代表的な実施の形態であり、実施の形態１と相違する構成は、次の通りである。
藻発生乃至付着防止体１０ａの一種である前記球体Ｂは前記上部水槽１１内に水没し、この水没した上部水槽１１の内壁面１１ａ及び底面に接触して移動自在に、前記藻発生乃至付着防止体１０ａの比重が設定されていることである。
その他、実施の形態１と同一の符号は同一の構成、作用をなす。
この形態の使用方法を請求項１、３、４記載の方法発明の代表的な実施の形態として説明すると、前記藻発生乃至付着防止体１０ａを前記上部水槽１１内に水没させ、上部水槽１１の水面下の内壁面１１ａ及びその底面に接触して移動させる。この際、前記藻発生乃至付着防止体１０ａを、前記上部水槽１１内の散布水または循環冷却水の流れを利用して、この上部水槽１１の水面下の内壁面１１ａ及び底面に接触しつつ移動させる。これにより、この水面下の内壁面１１ａ及び底面に付着している藻をこの藻発生乃至付着防止体１０ａで掻き取り除去し、その発生を抑制する。
【００１５】
実施の形態３（図５参照）
実施の形態１と異なる構成は、次の通りである。即ち、前記藻発生乃至付着防止体１０は、たわし状の球体Ｂ１として、少なくとも１個上部水槽１１の水面１１ｂに浮遊し、その他は実施の形態１と同一である。
この形態の使用方法を請求項１、２、４記載の方法発明の代表的な実施の形態として説明すると、上部水槽１１の内壁面１１ａにこのたわし状の球体Ｂ１の周面を接触させながら、この内壁面１１ａに沿って移動して、この内壁面１１ａに付着する藻類をこのたわし状の球体Ｂ１における外周面で掻き取り、この内壁面１１ａへの藻の発生乃至付着を抑制する。この際、たわし状の球体Ｂ１の接触位置Ｐは前記上部水槽１１の水面１１ｂとこの上部水槽１１の内壁面１１ａの境部Ｓとする。
【００１６】
実施の形態４（図６参照）
この形態は、請求項１、２、３、４記載の方法発明の代表的な実施の形態であり、２個の藻発生乃至付着防止体１０、１０ａが、上部水槽１１に配置され、一方の藻発生乃至付着防止体１０は実施の形態１同様のもので前記上部水槽１１の水面１１ｂに浮遊し、移動自在としある。他方の藻発生乃至付着防止体１０ａは、実施の形態２同様のものでこの水面１１ｂ下に水没し、移動自在として、上部水槽１１内の冷却水の流れに乗って移動する藻発生乃至付着防止体１０、１０ａのうち、一方の藻発生乃至付着防止体１０は、この水面１１ｂと同一レベルで上部水槽１１の内壁に接触し、また他方の藻発生乃至付着防止体１０ａは、この上部水槽１１の水面下の内壁面１１ａ及び底面に接触し、発生乃至付着している藻を除去する。
【００１７】
実施の形態５
実施の形態２と異なる構成は次の通りである。前記藻発生乃至付着防止体１０ａは、たわし状の球体Ｂ１として、少なくとも1個上部水槽１１内に水没するもので（図７参照）、この使用方法波は、たわし状の球体Ｂ１を上部水槽１１の水面下１１ｂの内壁面１１ａ及び底面に接触して移動させる。このたわし状の球体Ｂ１の移動で上部水槽１１の水面下１１ｂの内壁面１１ａ、底面を清掃し、藻の発生乃至付着を防止する。前記各態様においては、水槽として、冷却塔の上部水槽を例示しているが、この発明としては、これに限定されず、貯水槽、浴槽、冷却塔の下部水槽とすることもある。
【００１８】
【発明の効果】
請求項１記載の発明においては、前記藻発生乃至付着防止体の水槽内壁面に沿って接触しながら移動することにより、簡易に藻を除去し、その発生を抑制できる。
請求項２記載の発明においては、請求項１記載の発明の効果に加えて、藻の発生乃至付着しやすい水槽水面と水槽内壁面の境部に沿い常時藻発生乃至付着防止体が接触しつつ移動することにより、この境界部における藻の発生を未然に防止できる。
請求項３記載の発明においては、請求項１記載の発明の効果に加えて、水面下の水槽の少なくとも内壁面に付着している藻の発生を防止できる。
【００１９】
請求項４記載の発明においては、請求項１、２、３記載の発明の効果に加えて、藻発生乃至付着防止体を水槽内の流体の流れに乗って、移動することで、水槽の内壁面に付着している藻を能率良く除去し、それ以後の藻の発生乃至付着を未然に防止することができる。
【００２０】
請求項５の関連発明においては、水槽内に位置し、この内壁面に藻発生乃至付着防止体を接触しながら、この内壁面に沿って移動自在としてあることを特徴とする水槽の藻発生乃至付着防止体としてあるため、請求項１記載の方法発明を実施でき、その効果を発揮できる。
請求項６記載の発明においては、前記藻発生乃至付着防止体は水面に浮遊するものとすることを特徴とする為、請求項５記載の発明に加えて、請求項２記載の方法発明を実施でき、その効果を発揮できる。
なお、前記藻発生乃至付着防止体は前記水槽内に水没し、この水没した水槽の内壁面に接触して移動自在に、前記藻発生乃至付着防止体の比重が設定されている場合には請求項５記載の発明の効果に加えて、請求項３記載の方法発明を実施でき、その効果を発揮できる。
請求項７記載の発明においては、前記藻発生乃至付着防止体は、球体、その周面に植毛してある球体、たわし状の球体のうちの、少なくとも１つとしてあることを特徴とする為、請求項５、６記載の発明の効果に加えて、前記藻を簡易に、機械的摩耗、故障を伴わずに、メンテナンスフリーで掻き取ることができる。
【００２１】
前記実施の形態においては、冷却塔の上部水槽１１における藻の発生を防止することで、その上部水槽１１の散布部が目詰まりすることを未然に防止でき、下部の充填材上への散水を常に均一とし、所望の冷却能力を発揮することができる。実施の形態１で証明したように、上部水槽１１の注水管を、前記のように内部配管とし、立ち上げ管から連なる水道管を上部水槽１１の側壁を貫通して水平に配管することにより、上部水槽１１の下方空間を熱交換器の充填に充分に利用することができ、その配管工事、メンテナンスも容易に行うことができる。
実施例
ａ）冷却塔
タイプ        密閉型直交流式冷却塔
ｂ）上部水槽
水位        下限 ５０ｍｍ、 上限
８０ｍｍ
散水量 ５００Ｌ／ｍｉｎ
水表面積 ０．７６ｍ2
水面下の水槽壁面（底面を含む）での藻の量
０．９ｍ2
ｃ）藻発生乃至付着防止体
硬式テニスボール（直径 ７０ｍｍ）
前記散布水として井戸水を使用して冷却塔を運転し、上部水槽の底面、内壁面に硬式テニスボールを１個、接触しながら、散布水の水流により移動した場合、前記藻全ては、７日目で完全になくなった。
本件方法発明において使用する水槽は、実施の形態において記載した冷却塔の上部水槽に限定するものではなく、他の水槽、例えば貯水槽、プール、浴槽の貯水部に使用しても、この方法発明としては同一である。
【図面の簡単な説明】
【図１】実施の形態１の冷却塔を示す概略図である。
【図２】図１における上部水槽部分の拡大平面図である。
【図３】図２の概略縦断面図である。
【図４】実施の形態２における要部概略縦断面図である。
【図５】実施の形態３の要部概略縦断面図である。
【図６】実施の形態４の要部概略縦断面図である。
【図７】実施の形態５の要部概略縦断面図である。
【符号の説明】
１０ 藻発生乃至付着防止体
１１ 上部水槽